(57)【要約】【課題】釣竿の着脱が容易である釣竿受け具を提供する。【解決手段】本考案に係る釣竿受け具は、半円弧状の棒状部材であるフレーム部材１及び２と、端部１Ａと端部２Ａとが閉じた状態にもでき開いた状態にもできるようにフレーム部材１の端部１Ｂとフレーム部材２の端部２Ｂとを連結するピン３と、円筒状ガイド部材４及び５とを備える。フレーム部材１（２）が円筒状ガイド部材４（５）の貫通孔に移動自在に挿通され、円筒状ガイド部材４（５）の軸がフレーム部材１（２）の半円弧状軸全てを含む面内で回動自在であり尚かつフレーム部材１（２）の端部１Ｂ（２Ｂ）側略１／４円弧部分内に円筒状ガイド部材４（５）が位置するように円筒状ガイド部材４（５）が支持されている。【選択図】図１
0003119381.tif 000002
【実用新案登録請求の範囲】
【請求項１】
略半円弧状の棒状部材である第１のフレーム部材と、
略半円弧状の棒状部材である第２のフレーム部材と、
前記第１のフレーム部材の一端と前記第２のフレーム部材の一端とが閉じた状態にもでき開いた状態にもできるように前記第１のフレーム部材の他端と前記第２のフレーム部材の他端とを連結する連結部材と、
第１の筒状ガイド部材と、
第２の筒状ガイド部材とを備え、
前記第１のフレーム部材が前記第１の筒状ガイド部材の貫通孔に移動自在に挿通され、
前記第２のフレーム部材が前記第２の筒状ガイド部材の貫通孔に移動自在に挿通され、
前記第１の筒状ガイド部材の軸が前記第１のフレーム部材の略半円弧状軸全てを含む面内で回動自在であり尚かつ前記第１のフレーム部材の他端側略１／４円弧部分内に前記第１の筒状ガイド部材が位置するように前記第１の筒状ガイド部材が支持され、
前記第２の筒状ガイド部材の軸が前記第２のフレーム部材の略半円弧状軸全てを含む面内で回動自在であり尚かつ前記第２のフレーム部材の他端側略１／４円弧部分内に前記第２の筒状ガイド部材が位置するように前記第２の筒状ガイド部材が支持されることを特徴とする釣竿受け具。
【請求項２】
前記第１のフレーム部材、前記第２のフレーム部材、前記第１の筒状ガイド部材、及び前記第２の筒状ガイド部材から成るユニットを二つ備え、
前記第１のフレーム部材の一端側略１／４円弧部分同士間に介在し、前記第１のフレーム部材の一端側略１／４円弧部分に固定される第１の介在部材と、
前記第２のフレーム部材の一端側略１／４円弧部分同士間に介在し、前記第２のフレーム部材の一端側略１／４円弧部分に固定される第２の介在部材とを備える請求項１に記載の釣竿受け具。
【請求項３】
請求項１または請求項２に記載の釣竿受け具を備えることを特徴とする釣具用キャリア。
【考案の詳細な説明】
【技術分野】
【０００１】
本考案は、釣竿を保持することができる釣竿受け具及びこれを備えた釣具用キャリアに関するものである。
【背景技術】
【０００２】
従来の釣竿受け具（例えば、特許文献１及び特許文献２を参照）は、例えば釣具用キャリアに取り付けられ、図４に示すように複数箇所に凹部１００を設けている細長い支持アーム１０１であり、凹部１００で釣竿１０２を保持している。上記従来の釣竿受け具は、凹部１００で釣竿１０２を保持しているため、釣竿１０２に何らか原因によって横向きの力が作用した場合に釣竿１０２が凹部１００から外れ易いという問題があった。
【０００３】
このような問題を解決することができる釣竿受け具として、図５に示すリング形状の釣竿受け具が考えられる。このようなリング形状の釣竿受け具であれば、釣竿１０２が全周にわたって釣竿受け具で覆われているので、釣竿１０２に何らか原因によって横向きの力が作用した場合でも釣竿１０２が釣竿受け具から外れるという不具合は生じない。
【特許文献１】実開平１−１７２３７７号公報
【特許文献２】実用新案登録第３０７８９９６号公報
【考案の開示】
【考案が解決しようとする課題】
【０００４】
しかしながら、図５に示すリング形状の釣竿受け具は、上部フレーム１０３が下部フレーム１０４にヒンジ止めされている構造であるため、釣竿１０２の着脱に手間がかかるという問題点を有していた。すなわち、図５に示す釣竿受け具を用いた場合、釣竿受け具から釣竿１０２を離脱させるときに、使用者が手で釣竿受け具の上部フレーム１０３を回動させて図５に示す状態から図６に示すような状態に変化させる必要があり、釣竿受け具に釣竿１０２をセットするときに、使用者が手で釣竿受け具の上部フレーム１０３を回動させて図６に示す状態から図５に示すような状態に変化させる必要があり、不便であった。
【０００５】
本考案は、上記の問題点に鑑み、釣竿の着脱が容易である釣竿受け具及びこれを備えた釣具用キャリアを提供することを目的とする。
【課題を解決するための手段】
【０００６】
上記目的を達成するために本考案に係る釣竿受け具は、略半円弧状の棒状部材である第１のフレーム部材と、略半円弧状の棒状部材である第２のフレーム部材と、前記第１のフレーム部材の一端と前記第２のフレーム部材の一端とが閉じた状態にもでき開いた状態にもできるように前記第１のフレーム部材の他端と前記第２のフレーム部材の他端とを連結する連結部材と、第１の筒状ガイド部材と、第２の筒状ガイド部材とを備え、前記第１のフレーム部材が前記第１の筒状ガイド部材の貫通孔に移動自在に挿通され、前記第２のフレーム部材が前記第２の筒状ガイド部材の貫通孔に移動自在に挿通され、前記第１の筒状ガイド部材の軸が前記第１のフレーム部材の略半円弧状軸全てを含む面内で回動自在であり尚かつ前記第１のフレーム部材の他端側略１／４円弧部分内に前記第１の筒状ガイド部材が位置するように前記第１の筒状ガイド部材が支持され、前記第２の筒状ガイド部材の軸が前記第２のフレーム部材の略半円弧状軸全てを含む面内で回動自在であり尚かつ前記第２のフレーム部材の他端側略１／４円弧部分内に前記第２の筒状ガイド部材が位置するように前記第２の筒状ガイド部材が支持される構成である。
【０００７】
このような構成によると、釣竿をセットする際に釣竿が前記連結部材を押圧することで、前記第１のフレーム部材の一端と前記第２のフレーム部材の一端とが開いた状態から閉じた状態に移行させることができ、この移行時に、前記第１のフレーム部材の動きに連動して前記第１の筒状ガイド部材が回動し、前記第２のフレーム部材の動きに連動して前記第２の筒状ガイド部材が回動するので、前記連結部材への押圧力が小さくても上記閉じた状態への移行が可能となる。また、このような構成によると、釣竿を離脱させる際に釣竿が前記第１のフレーム部材の一端と前記第２のフレーム部材の一端とを押圧することで、前記第１のフレーム部材の一端と前記第２のフレーム部材の一端とが閉じた状態から開いた状態に移行させることができ、この移行時に、前記第１のフレーム部材の動きに連動して前記第１の筒状ガイド部材が回動し、前記第２のフレーム部材の動きに連動して前記第２の筒状ガイド部材が回動するので、前記第１のフレーム部材の一端と前記第２のフレーム部材の一端とへの押圧力が小さくても上記開いた状態への移行が可能となる。したがって、釣竿を動かすことのみによって釣竿の着脱が可能となり、釣竿の着脱が容易である。
【０００８】
また、上記構成の釣竿受け具において、前記第１のフレーム部材、前記第２のフレーム部材、前記第１の筒状ガイド部材、及び前記第２の筒状ガイド部材から成るユニットを二つ備え、前記第１のフレーム部材の一端側略１／４円弧部分同士間に介在し、前記第１のフレーム部材の一端側略１／４円弧部分に固定される第１の介在部材と、前記第２のフレーム部材の一端側略１／４円弧部分同士間に介在し、前記第２のフレーム部材の一端側略１／４円弧部分に固定される第２の介在部材とを備えるようにしてもよい。これにより、
上記閉じた状態への移行或いは上記開いた状態への移行の際に、前記第１のフレーム部材及び前記第２のフレーム部材の動きが一層スムーズになるので、釣竿の着脱がより一層容易になる。なお、前記第１のフレーム部材と前記第１の介在部材は一体形成されていてもよい。同様に、前記第２のフレーム部材と前記第２の介在部材も一体形成されていてもよい。
【０００９】
また、本考案に係る釣具用キャリアは、上記いずれかの構成の釣竿受け具を備える構成である。
【考案の効果】
【００１０】
本考案に係る釣竿受け具によると、釣竿の着脱が容易である。
【考案を実施するための最良の形態】
【００１１】
本考案の実施形態について図面を参照して以下に説明する。本考案に係る釣竿受け具の外観例を図１及び図２に示す。図１は本考案に係る釣竿受け具のフレーム端部同士が閉じている状態を示しており、図２は本考案に係る釣竿受け具のフレーム端部同士が開いている状態を示している。また、図１（ａ）及び図２（ａ）は正面図であり、図１（ｂ）及び図２（ｂ）は側面図である。
【００１２】
本実施形態の釣竿受け具は、半円弧状の棒状部材であるフレーム部材１及び２と、フレーム部材１の端部１Ｂとフレーム部材２の端部２Ｂを連結するピン３と、円筒状ガイド部材４及び５と、ストッパ６及び７とから成るユニットを二つ備えている。本実施形態の釣竿受け具は、フレーム部材１の一端１Ａとフレーム部材２の一端２Ａとが閉じた状態（図１を参照）にもでき、開いた状態（図２を参照）にもできる。
【００１３】
フレーム部材１は円筒状ガイド部材４の貫通孔に移動自在に挿通されている。同様に、フレーム部材２は円筒状ガイド部材５の貫通孔に移動自在に挿通されている。
【００１４】
円筒状ガイド部材４の軸がフレーム部材１の半円弧状軸全てを含む面内で回動自在であり尚かつフレーム部材１の端部１Ｂ側略１／４円弧部分内に円筒状ガイド部材４が位置するように円筒状ガイド部材４が支持されている。同様に、円筒状ガイド部材５の軸がフレーム部材２の半円弧状軸全てを含む面内で回動自在であり尚かつフレーム部材２の端部２Ｂ側略１／４円弧部分内に円筒状ガイド部材５が位置するように円筒状ガイド部材５が支持されている。円筒状ガイド部材４及び５の支持態様の詳細については後述する。
【００１５】
ストッパ６は、フレーム部材１に固定されており、円筒状ガイド部材４の半時計回り方向Ｒ１の回動を所定の範囲内に収めるようにしている。同様に、ストッパ７は、フレーム部材２に固定されており、円筒状ガイド部材５の時計回り方向Ｒ２の回動を所定の範囲内に収めるようにしている。
【００１６】
介在部材８は、二つのフレーム部材１の端部１Ａ側略１／４円弧部分同士間に介在し、二つのフレーム部材１の端部１Ａ側略１／４円弧部分それぞれに固定され、二つのフレーム部材１間の距離を所定値Ｈ１に保っている。同様に、介在部材９は、二つのフレーム部材２の端部１Ａ側略１／４円弧部分同士間に介在し、二つのフレーム部材２の端部２Ａ側略１／４円弧部分それぞれに固定され、二つのフレーム部材２間の距離を所定値Ｈ１に保っている。
【００１７】
以下、円筒状ガイド部材４及び５の支持態様について詳細に説明する。
【００１８】
円筒状ガイド部材５と平板リング１１とが一体形成されている。ボルト１４が、支持台１２の第２貫通穴（不図示）に回動自在に挿通されるとともに、二つの平板リング１１の穴にも挿通される。一方の平板リング１１はボルト１４の頭部とナット１５とによってボルト１４に対して回動できないようになっており、もう一方の平板リング１１はナット１６とナット１７とによってボルト１４に対して回動できないようになっている。
【００１９】
同様に、円筒状ガイド部材４と平板リング１０とが一体形成されている。ボルト１３が、支持台１２の第１貫通穴（不図示）に回動自在に挿通されるとともに、二つの平板リング１０の穴にも挿通される。一方の平板リング１０はボルト１３の頭部とナット（不図示）とによってボルト１３に対して回動できないようになっており、もう一方の平板リング１１は二つのナット（不図示）によってボルト１３に対して回動できないようになっている。
【００２０】
続いて、上述したような構成である本実施形態の釣竿受け具の動作について説明する。フレーム部材１の一端１Ａとフレーム部材２の一端２Ａとが開いた状態（図２を参照）である本実施形態の釣竿受け具に釣竿をセットする場合、釣竿はフレーム部材１の一端１Ａとフレーム部材２の一端２Ａとの開口部を通って、ピン３の方へ向かう。そして、釣竿がピン３を押圧すると、ピン３に下方向Ｄの力がかかり、ピン３が下方向Ｄに移動する。これにより、フレーム部材１の一端１Ａとフレーム部材２の一端２Ａとが開いた状態（図２を参照）から閉じた状態（図１を参照）に移行する。この移行時に、フレーム部材１の動きに連動して円筒状ガイド部材４がボルト１３を枢軸として時計回り方向Ｒ２に回動し、フレーム部材２の動きに連動して円筒状ガイド部材５がボルト１４を枢軸として反時計回り方向Ｒ１に回動するので、ピン３にかかる下方向Ｄの力が小さくてもフレーム部材１の一端１Ａとフレーム部材２の一端２Ａとが開いた状態（図２を参照）から閉じた状態（図１を参照）に移行することができる。
【００２１】
フレーム部材１の一端１Ａとフレーム部材２の一端２Ａとが閉じた状態（図１を参照）である本実施形態の釣竿受け具から釣竿を離脱させる場合、釣竿はピン３の方からフレーム部材１の一端１Ａ及びフレーム部材２の一端２Ａの方へ向かう。そして、釣竿がフレーム部材１の一端１Ａ及びフレーム部材２の一端２Ａを押圧すると、フレーム部材１の一端１Ａ及びフレーム部材２の一端２Ａに上方向Ｕの力がかかり、フレーム部材１の一端１Ａ及びフレーム部材２の一端２Ａとが開いた状態（図２を参照）になり、釣竿がフレーム部材１の一端１Ａとフレーム部材２の一端２Ａとの開口部を通って本実施形態の釣竿受け具から離脱する。このようにフレーム部材１の一端１Ａとフレーム部材２の一端２Ａとが閉じた状態（図１を参照）から開いた状態（図２を参照）に移行する時に、フレーム部材１の動きに連動して円筒状ガイド部材４がボルト１３を枢軸として反時計回り方向Ｒ１に回動し、フレーム部材２の動きに連動して円筒状ガイド部材５がボルト１４を枢軸として時計回り方向Ｒ２に回動するので、フレーム部材１の一端１Ａ及びフレーム部材２の一端２Ａにかかる上方向Ｕの力が小さくてもフレーム部材１の一端１Ａとフレーム部材２の一端２Ａとが閉じた状態（図１を参照）から開いた状態（図２を参照）に移行することができる。
【００２２】
なお、釣竿がフレーム部材１の一端１Ａとフレーム部材２の一端２Ａとの開口部を通ることが可能でなければならないので、開口距離Ｈ２（図２を参照）が釣竿の径より大きくなるように釣竿受け具の各部寸法を設計する必要がある。
【００２３】
本実施形態の釣竿受け具は、釣竿を下方向に動かすことのみによって図２に示す状態から図１に示す状態に移行することができ、釣竿を上方向に動かすことのみによって図１に示す状態から図２に示す状態に移行することができるので、釣竿の着脱が容易である。
【００２４】
また、釣竿がセットされているときは、フレーム部材１の一端１Ａとフレーム部材２の一端２Ａとが閉じた状態（図１を参照）になり、フレーム部材１及び２によってリングが形成されているので、釣竿に横向きの力が作用して釣竿が外れることを防止することができる。
【００２５】
また、ボルト１３及び１４の頭部側に釣竿のリール側があり、ボルト１３及び１４の軸部側に釣竿の先端側がある場合、魚がかかって釣竿がボルト１３及び１４の頭部側からボルト１３及び１４の軸部側に引っ張られた場合でも、釣竿のリールがフレーム部材１及び２によって形成されるリングに引っ掛かるため、釣竿が本実施形態の釣竿受け具から外れるおそれはない。
【００２６】
なお、本実施形態では、平板リングはボルトに対して回動不可能であり、ボルトは支持台の貫通穴に回動自在に挿通されているが、本考案はこれに限定されることはなく、平板リングがボルトに固定されておらずボルトに対して回動自在であり、ボルトが支持台の貫通穴に固定されており支持台の貫通穴に対して回動不可能である形態であっても構わない。また、平板リングがボルトに対して回動可能であるとともに、ボルトが支持台の貫通穴に対して回動可能である形態であっても構わない。
【００２７】
また、釣竿が接触する可能性のある箇所、すななち、半円弧状の棒状部材であるフレーム部材１及び２と、フレーム部材１の端部１Ｂとフレーム部材２の端部２Ｂを連結するピン３と、円筒状ガイド部材４及び５と、ストッパ６及び７とから成るユニットのリング内周面は軟質樹脂などの低硬度材料で構成されることが望ましい。このような構成により、釣竿が釣竿受け具に接触することで釣竿に接触傷が付くことを防止することができる。
【００２８】
また、介在部材８やストッパ６とフレーム部材１とが一体形成されていてもよい。同様に、介在部材９やストッパ７とフレーム部材２とが一体形成されていてもよい。
【００２９】
次に、本考案に係る釣具用キャリアについて説明する。本考案に係る釣具用キャリアの外観例を図３に示す。
【００３０】
図３に示す本実施形態の釣具用キャリアは、伸縮自在な枠体２０と、載架台２１と、本考案に係る釣竿受け具２２及び２３と、車輪２４及び２５と、照明具２６と、フック２７とを備えている。なお、本実施形態の釣具用キャリアは、枠体２０と載架台２１とを折り畳むことができる。
【００３１】
本考案に係る釣竿受け具２２及び２３と、車輪２４及び２５と、照明具２６とは載架台２１に設けられ、フック２７は連結具を介して枠体２０の把手部２０Ａに接続されている。照明具２６は、載架台２１に対して回動自在に取り付けられているので、照明方向を調整することができる。
【００３２】
図３は本考案に係る釣竿受け具２２及び２３を使用する際の状態を示しており、枠体２０が底部となっている。この状態では、載架台２１の係止部２１Ａが車輪２４及び２５よりも下方に位置するため、車輪２４及び２５が宙に浮いた状態になり、本実施形態の釣具用キャリアが動きにくくなっている。さらに、フック２７を水が貯まっているバケツの把手部に架けることで、本実施形態の釣具用キャリアをより一層動きにくくすることができる。
【００３３】
一方、本実施形態の釣具用キャリアを本来のキャリアとして使用する場合は、当然の事ながら、載架台２１が底部となる。この状態では、載架台２１の係止部２１Ａは、車輪２４及び２５よりも上方に位置するため、本実施形態の釣具用キャリアの移動を妨げない。
【図面の簡単な説明】
【００３４】
【図１】は、本考案に係る釣竿受け具の外観例を示す図である。
【図２】は、本考案に係る釣竿受け具の外観例を示す図である。
【図３】は、本考案に係る釣具用キャリアの外観例を示す図である。
【図４】は、従来の釣竿受け具の外観図である。
【図５】は、リング形状の釣竿受け具の外観図である。
【図６】は、リング形状の釣竿受け具の外観図である。
【符号の説明】
【００３５】
１、２    フレーム部材
３    ピン
４、５    円筒状ガイド部材
６、７    ストッパ
８、９    介在部材
１０、１１    平板リング
１２    支持台
１３、１４    ボルト
１５〜１７    ナット
２０    枠体
２１    載架台
２２、２３    本考案に係る釣竿受け具
２４、２５    車輪
２６    照明具
２７    フック
【図１】
0003119381.tif 000003
【図２】
0003119381.tif 000004
【図３】
0003119381.tif 000005
【図４】
0003119381.tif 000006
【図５】
0003119381.tif 000007
【図６】
0003119381.tif 000008